(57)【要約】      （修正有）【課題】改修工事により新たにウォールマウントインジケーターを取り付ける場合において、収納ボックスの撤去や壁の埋め戻し作業を不要とし、また、容易な作業でウォールマウントインジケーターを取り付けることができるエレベーターのインジケーター設置器具を提供する。【解決手段】エレベーターのインジケーター設置器具は、インジケーター３を装着するための第１の平面部を有する矩形状のプレート部材５と、第１の平面部に対向して接触する第２の平面部を有するインジケーターのケース部材１４と、第１の平面部に設けられた第１の係合部２５、３１と、第２の平面部に設けられた、第１の係合部２５、３１と係合する第２の係合部２７、３３とを、備えている。【選択図】図５
2018100154.tif 000002
【特許請求の範囲】
【請求項１】
インジケーターを建物の壁部に取り付けるためのエレベーターのインジケーター設置器具であって、
前記エレベーターのインジケーター設置器具は、
前記インジケーターを装着するための第１の平面部を有する矩形状のプレート部材と、
前記第１の平面部に対向して接触する第２の平面部を有する前記インジケーターのケース部材と、
前記第１の平面部に設けられた第１の係合部と、
前記第２の平面部に設けられた、前記第１の係合部と係合する第２の係合部と、
を備えたエレベーターのインジケーター設置器具。
【請求項２】
前記第１の係合部及び前記第２の係合部を複数設けた
請求項１に記載のエレベーターのインジケーター設置器具。
【請求項３】
前記第１の係合部及び前記第２の係合部は、互いに引きつけ合うシート状の磁石部材で構成されている
請求項１又は２に記載のエレベーターのインジケーター設置器具。
【請求項４】
前記第１の係合部の近傍に、凹形状を有する他の第１の係合部を設け、前記第２の係合部の近傍に凸形状を有する他の第２の係合部を設けた
請求項３に記載のエレベーターのインジケーター設置器具。
【請求項５】
前記インジケーターは、一般用インジケーターと車いす用インジケーターを一体に備えた一体型インジケーターであって、
前記プレート部材の第１の平面部は、前記一般用インジケーターを装着するための主平面部と前記車いす用インジケーターを装着するための従平面部を備えている
請求項１〜４のいずれか１項に記載のエレベーターのインジケーター設置器具。
【発明の詳細な説明】
【技術分野】
【０００１】
本発明は、エレベーター乗り場の所定位置に設置されて、かご呼び等の操作を行うためのインジケーターを建物の壁等に設置するためのエレベーターのインジケーター設置器具に関する。
【背景技術】
【０００２】
エレベーター乗り場には、乗客がかご呼び等の操作を行うための乗り場インジケーターが設置されている。従来、乗り場インジケーターは、建物の壁に長方形の穴を開けて収納ボックスを収納し、その収納ボックス内でコネクタ接続等の配線作業を行う（例えば、特許文献１）。
【０００３】
一方、近年では、収納ボックスの設置が不要なケースとカバーから成る薄い壁掛け型のいわゆるウォールマウントインジケーターが開発されており、ウォールマウントインジケーターはビス等を用いて建物の壁に取り付けられる。
【先行技術文献】
【特許文献】
【０００４】
【特許文献１】特開２０１５−１５１２１２号公報
【発明の概要】
【発明が解決しようとする課題】
【０００５】
しかしながら、エレベーターの改修工事において既設インジケーターをウォールマウントインジケーターに置き換える場合には、既設インジケーターの収納ボックスが建物の壁に埋設されているので、ウォールマウントインジケーターを取り付けるための収納ボックスの撤去や壁の埋め戻し作業が発生してしまう。
【０００６】
一方、埋め戻し作業等を行わずに既設インジケーターの収納ボックスを活用する場合には、ウォールマウントインジケーターを収納ボックスのブラケットに取り付ける作業が発生する。
【０００７】
本発明の目的は、改修工事により新たにウォールマウントインジケーターを取り付ける場合において、収納ボックスの撤去や壁の埋め戻し作業を不要とし、また、容易な作業でウォールマウントインジケーターを取り付けることができるエレベーターのインジケーター設置器具を提供することにある。
【課題を解決するための手段】
【０００８】
上記課題を解決し、本発明の目的を達成するため、本発明のエレベーターのインジケーター設置器具は、インジケーターを装着するための平面部を有する矩形状のプレート部材と、プレート部材に装着されて、プレート部材と建物の壁部との間に配置される弾性体からなる緩衝部材と、を備えている。
【発明の効果】
【０００９】
本発明のエレベーターのインジケーター設置器具によれば、新しい乗り場インジケーターに置き換えるエレベーターの改修工事を行う際に、収納ボックスの撤去や壁の埋め戻し作業が不要となり、また、容易な作業でウォールマウントインジケーターを取り付けることができる。
【図面の簡単な説明】
【００１０】
【図１】本発明の実施の形態例によるエレベーターのインジケーター設置器具を採用したエレベーター乗り場を示す正面図である。
【図２】本発明の実施の形態例による取り付けプレートの正面図である。
【図３】本発明の実施の形態例による一般用インジケーター及び車いす用インジケーターのケースの正面図である。
【図４】図２に示した取り付けプレートに一般用インジケーター及び車いす用インジケーターのケースを装着した正面図である。
【図５】図２に示した取り付けプレートにより乗り場インジケーターを建物の壁部に取り付けた際の縦断面図である。
【図６】本発明の他の実施の形態例による取り付けプレートの正面図及び一般用インジケーターのケースの背面図である。
【発明を実施するための形態】
【００１１】
以下、本発明のエレベーターのインジケーター設置器具の実施の形態例（以下、「本例」という。）について、図１〜図５を参照して説明する。なお、各図において共通の部材には、同一の符号を付している。
図１は、本例のエレベーターのインジケーター設置器具を採用したエレベーター乗り場の正面図である。
【００１２】
図１に示すように、エレベーター乗り場１００には、出入口に開閉可能に設置された乗り場ドア１と、乗り場ドア１の近傍に位置する建物の壁部１７に設置された乗り場インジケーター２と、が備えられている。乗り場インジケーター２は、上方側に設けられた一般用インジケーター３と、一般用インジケーター３の下方端部に連接して設けられた車いす用インジケーター４と、を有している。本例の乗り場インジケーター２は、一般用インジケーター３と車いす用インジケーター４を一体に備えた一体型のウォールマウントインジケーターである。一般用インジケーター３及び車いす用インジケーター４には、それぞれホールボタン１５、１６が設けられている。乗り場インジケーター２は、インジケーター設置器具であるプレート部材としての取り付けプレート５により、建物の壁部１７に取り付けられている。
【００１３】
図２は、上述した取り付けプレート５を拡大した正面図である。
図２に示すように、取り付けプレート５は、ステレンス等からなる金属製の平板状部材によって矩形状に形成されている。長方形状に形成された取り付けプレート５は、インジケーター２を装着するための第１の平面部を有しており、第１の平面部は、一般用インジケーター３を装着するための平面を備えた主平面部５ａと、車いす用インジケーター４を装着するための平面を備えた従平面部５ｂと、を備えている。なお、本例の取り付けプレート５は長方形状に形成されているが、一般用インジケーター３及び車いす用インジケーター４を装着できる形状であればよい。
【００１４】
主平面部５ａの中央部には、取り付けプレート５に装着した一般用インジケーター３のコード３２を、取り付けプレート５の表側から裏側へ貫通させるための矩形状の開口部１０が形成されている。また、開口部１０の上端部の近傍と主平面部５ａの下端部の近傍には、取り付けプレート５を後述するブラケット７に締結するためのねじ２６を挿通するための一対のねじ孔１８が設けられている。
【００１５】
また、主平面部５ａの上部と下部には、それぞれが第１の係合部である矩形状に形成された薄いシート状の磁石部材２５と係合穴３１が設けられている。本例では、取り付けプレート５の厚さ５ｍｍに対して磁石部材２５の厚さは２ｍｍ程度であり、両面テープ等で主平面部５ａに装着されている。係合穴３１は、金属製の取り付けプレート５を掘削加工することにより形成された凹状の穴であり、磁石部材２５の近傍であって、主平面部５ａの上端部及び下端部に沿って２つずつ設けられている。
【００１６】
従平面部５ｂの上部には、取り付けプレート５に装着した車いす用インジケーター４のコード１２を貫通させるための車いすホールボタンケーブル用貫通孔１１が設けられている。車いすホールボタンケーブル用貫通孔１１は、ねじ孔１８を避けるようにして形成されている。また、車いすホールボタンケーブル用貫通孔１１は、従平面部５ｂの上部から主平面部５ａの下部にわたって形成されており、細長く伸びた長方形状を有している。車いすホールボタンケーブル用貫通孔１１は、取り付けプレート５を建物の壁部１７に取り付けた際に、車いすホールボタンケーブル用貫通孔１１の先端部分が建物の壁部１７に設けられている収納ボックス６の空間部６ａに対向する位置に到達できるような長さを有している。
【００１７】
従平面部５ｂの中央部には、嵌入したワッシャー及びばね座金付ナット９で車いす用インジケーター４を取り付けるためのスタッドボルト８が溶接により設けられている。従平面部５ｂは、ねじ２６でブラケット７に締結することができないため、スタッドボルト８により車いす用インジケーター４を取り付けプレート５に固定する必要がある。
また、従平面部５ｂの下部には、それぞれが第１の係合部である薄いシート状の磁石部材２５と係合穴３１が設けられている。係合穴３１は、従平面部５ｂの上部と、従平面部５ｂの下部であって磁石部材２５の下方に、それぞれ２つずつ設けられている。
【００１８】
図３は、インジケーターのケース部材としての一般用インジケーター３のケース１４及び車いす用インジケーター４のケース２０の背面図である。
図３に示すように、一般用インジケーター３のケース１４は、取り付けプレート５の主平面部５ａに対向して接触する第２の平面部としてケース面１４ａを有している。ケース面１４ａの中央部には、一般用ホールボタン基板１５ａ、１５ｂのコード３２を開口部１０へ貫通させるためのケース貫通孔４１が形成されている。また、ケース面１４ａの上部と下部には、取り付けプレート５を後述するブラケット７に締結するためのねじ２６を挿通するための一対のねじ孔２８が設けられている。ねじ孔２８は、ケース１４を取り付けプレート５に装着した際に、取り付けプレート５のねじ孔１８と合致する位置に形成されている。
【００１９】
ケース１４の上部及び下部には、第２の係合部である薄いシート状の磁石部材２７と係合突起３３がそれぞれ設けられている。２つの係合突起３３は、磁石部材２７の近傍であって、ケース面１４ａの上端部及び下端部に沿ってそれぞれ設けられている。矩形状に形成された磁石部材２７の厚さは２ｍｍ程度であり、磁石部材２７の極性は、互いに吸着できるように磁石部材２５の極性と反対のものが用いられる。また、係合突起３３は、係合穴３１の凹形状と嵌合するような凸形状を有しており、樹脂製のケース１４、２０を成型する際に一体に成形される。なお、本例では磁石部材２７の数を２枚としたが、ケース貫通孔４１等を塞がない範囲で３枚以上の磁石部材を設け、吸着のための磁力を強くしてもよい。また、本例では、ねじ２６から離れた部分は係合突起３３で仮固定されるので、係合突起３３を設ける位置は、本固定されるねじ孔２８の位置から離しておくのが望ましい。
【００２０】
図３に示すように、車いす用インジケーター４のケース２０は、取り付けプレート５の従平面部５ｂに対向して接触する第２の平面部としてケース面２０ａを有している。ケース面２０ａの中央部には取り付けプレート５に設けられたスタッドボルト８を挿入するためのボルト貫通孔２４が形成されている。また、ボルト貫通孔２４の上方には、車いす用ホールボタン基板１６ａ、１６ｂのコード１２を車いすホールボタンケーブル用貫通孔１１へ貫通させるためのケース貫通孔２１が形成されている。ケース２０の下部には、第２の係合部である薄いシート状の磁石部材２７と係合突起３３が設けられている。係合突起３３は、ケース面２０ａの上端部と、ケース面２０ａの下端部の磁石部材２７の近傍に、それぞれ２つずつ設けられている。
【００２１】
図４は、図２に示した取り付けプレート５に一般用インジケーター３のケース１４及び車いす用インジケーター４のケース２０を装着した際の正面図である。すなわち、取り付けプレート５を表側から見たものである。
【００２２】
図４に示すように、一般用インジケーター３のケース１４は、取り付けプレート５の主平面部５ａに装着されている。
ケース１４を取り付けプレート５に装着する際には、ケース１４の上端部の係合突起３３と取り付けプレート５の上端部の係合穴３１とを係合させて仮位置決めをした後、取り付けプレート５の磁石部材２５とケース１４の磁石部材２７とを対向させて、磁石の吸引力を利用してケース１４を取り付けプレート５の主平面部５ａに装着する。このとき、ケース１４の下端部の係合突起３３と取り付けプレート５の下端部の係合穴３１も係合する。
【００２３】
本例では、スタッドボルト８とばね座金９等の組み合わせを用いずに、係合穴３１、係合突起３３からなる係合部及び磁石部材２５、２７を用いてケース１４を取り付けプレート５に装着することができるので、ばね座金をスタットボルト８に嵌入させて締結する等の作業を省略することができ、乗り場インジケーター２の設置作業を簡単に行うことができる。
【００２４】
なお、本例では、第１の係合部として、係合穴３１、磁石部材２５の双方を、第２係合部として、係合突起３３、磁石部材２７の双方を同時に用いたが、係合穴３１と係合突起３３、若しくは磁石部材２５と磁石部材２７のいずれかの組み合わせだけであっても、ケース１４を取り付けプレート５に装着することができる。
【００２５】
取り付けプレート５に装着されたケース１４の下部には、上昇呼びを登録する上昇乗り場ボタン基板１５ａおよび下降呼びを登録する下降乗り場ボタン基板１５ｂが配置されている。また、上昇乗り場ボタン基板１５ａおよび下降乗り場ボタン１５ｂ基板から伸びるコード３２がケース貫通孔４１及び開口部１０を通じて延びており、コード３２の先端に設けられたコネクタ４２が収納ボックス６内に収納される。
【００２６】
図４に示すように、車いす用インジケーター４のケース２０は、取り付けプレート５の従平面部５ｂに装着されている。
スタッドボルト８をボルト貫通孔２４に挿通した状態で、ケース２０の係合突起３３と取り付けプレート５の係合穴３１とを係合させて仮位置合わせをし、取り付けプレート５の磁石部材２５とケース２０の磁石部材２７の吸着力で、ケース２０を取り付けプレート５の従平面部５ｂに装着する。この後、スタッドボルト８にワッシャーとばね座金付ナットを嵌入し締結することで、ケース２０を取り付けプレート５に確実に固定する。
【００２７】
本例では、必要最小限のスタッドボルト８とばね座金９等を用いて、ケース２０を取り付けプレート５に装着するので、ばね座金をスタットボルト８に嵌入させて締結する等の作業を簡略化することができ、乗り場インジケーター２の設置作業を簡単に行うことができる。
【００２８】
車いす用インジケーター４のケース２０の中央部には、上昇呼びを登録する上昇乗り場ボタン基板１６ａおよび下降呼びを登録する下降乗り場ボタン基板１６ｂが配置されている。また、上昇乗り場ボタン基板１６ａおよび下降乗り場ボタン１６ｂ基板から伸びるコード１２がケース貫通孔２１及び車いすホールボタンケーブル用貫通孔１１を通じて延びており、コード１２の先端に設けられたコネクタ２２が収納ボックス６内に収納される。
【００２９】
なお、車いすホールボタンケーブル用貫通孔１１には、ガイド部材１３が嵌合されている。ガイド部材１３は、ＡＢＳ樹脂等のゴム部材で構成されており、コード１２を配線するための溝が設けられている。ガイド部材１３には、コード１２を引き出すための切り込み部２４が形成されている。
【００３０】
図５は、取り付けプレート５を収納ボックス６のブラケット７に締結して、乗り場インジケーター２を建物の壁部１７に取り付けた際の縦断面図である。
図５に示すように、係合穴３１，係合突起３３及び磁石部材２５，２７によって一般用インジケーター３及び車いす用インジケーター４が装着されている取り付けプレート５は、ねじ孔１８，２８に挿入されたねじ２６により、収納ボックス６に固設されたブラケット７に締結されている。
【００３１】
一般用インジケーター３のコード３２は、コード３２の先端に接続されたコネクタ４２が収納ボックス６の空間部６ａに位置するように配線されている。また、車いす用インジケーター４のコード１２は、車いすホールボタンケーブル用貫通孔１１に嵌合されたガイド部材１３にガイドされて、コード１２の先端に接続されたコネクタ２２が収納ボックス６の空間部６ａに位置するように配線される。
【００３２】
開口部１０を通じて、空間部６ａにあるコネクタ２２、４２及び建物側から配線されたコネクタを取り付けプレート５側に引き出して、接続作業を行った後、再び、接続されたコネクタを空間部６ａに収納する。その後、一般用インジケーター３のケース１４にカバー３５を装着し、車いす用インジケーター４のケース２０にカバー４５を装着する。なお、カバー３５，４５は、側部に設けられたビス等により、ケース１４，２０に固定される。
【００３３】
このように、本例のエレベーターのインジケーター設置器具によれば、係合穴３１，係合突起３３または磁石部材２５，２７によって、一般用インジケーター３及び車いす用インジケーター４を取り付けプレート５に装着できるので、エレベーターの改修工事を行う際に、容易な作業で新しい乗り場インジケーター２を建物の壁部１７に取り付けることができる。
【００３４】
また、本例では、新しい乗り場インジケーター２を収納ボックス６のブラケット７に取り付けるので、収納ボックス６の撤去や壁の埋め戻し作業が不要となる。また、改修により新たに車いす用インジケーター４を追加する場合であっても、既設の収納ボックス６内に追加した車いす用インジケーター４のコネクタ２２を収納することができるので、別途、新たに車いす用インジケーター４のコネクタ２２を収納するための収納ボックスを設置する必要がない。
【００３５】
図６は、車いす用インジケーター４を設けない場合の取り付けプレート５の正面図及び乗り場インジケーター２の背面図である。
図６Ａに示すように、車いす用インジケーター４を設けない場合には、取り付けプレート５には従平面部５ｂは形成されず、第１の平面部として主平面部５ａのみが形成されている。
【００３６】
主平面部５ａの中央部には、取り付けプレート５に装着した一般用インジケーター３のコード３２を、取り付けプレート５の表側から裏側へ貫通させるための矩形状の開口部１０が形成されている。また、開口部１０の上端部の近傍と主平面部５ａの下端部の近傍には、取り付けプレート５を後述するブラケット７に締結するためのねじ２６を挿通するための一対のねじ孔１８が設けられている。
【００３７】
また、主平面部５ａの上部と下部には、それぞれが第１の係合部である薄いシート状の磁石部材２５と係合穴３１が設けられている。矩形状に形成された磁石部材２５の厚さは２ｍｍ程度であり、両面テープ等で主平面部５ａに装着されている。係合穴３１は、金属製の取り付けプレート５を掘削加工することにより形成された凹状の穴であり、磁石部材２５の近傍であって、主平面部５ａの上端部及び下端部に沿って２つずつ設けられている。
【００３８】
また、車いす用インジケーター４を設けない場合には、乗り場インジケーター２は車いす用インジケーター４を有しておらず、一般用インジケーター３のみを有している。
図６Ｂに示すように、一般用インジケーター３のケース１４は、取り付けプレート５の主平面部５ａに対向して接触する第２の平面部としてケース面１４ａを有している。ケース面１４ａの中央部には、一般用ホールボタン基板１５ａ、１５ｂのコード３２を開口部１０へ貫通させるためのケース貫通孔４１が形成されている。また、ケース面１４ａの中央部と下部には、取り付けプレート５を後述するブラケット７に締結するためのねじ２６を挿通するための一対のねじ孔２８が設けられている。ねじ孔２８は、ケース１４を取り付けプレート５に装着した際に、取り付けプレート５のねじ孔１８と合致する位置に形成されている。
【００３９】
ケース１４の上部及び下部には、第２の係合部である薄いシート状の磁石部材２７と係合突起３３がそれぞれ設けられている。２つの係合突起３３は、磁石部材２７の近傍であって、ケース面１４ａの上端部及び下端部に沿ってそれぞれ設けられている。
【００４０】
本例においても、スタッドボルト８とばね座金９等を用いずに、係合穴３１、係合突起３３からなる係合部及び磁石部材２５、２７を用いてケース１４を取り付けプレート５に装着することができる。このため、ばね座金をスタットボルト８に嵌入させて締結する等の作業を省略することができ、乗り場インジケーター２の設置作業を簡単に行うことができる。
【００４１】
なお、本発明は上述しかつ図面に示した実施の形態に限定されるものではなく、特許請求の範囲に記載した発明の要旨を逸脱しない範囲内で種々の変形実施が可能である。例えば、磁石部材２５、２７の形状は、本例に限定されるものではなく、互いに引きつけ合い吸着固定できるものであれば、円形状等であってもよい。また、係合部の構造は、凸と凹形状に限られるものではなく、互いに係合できるものであれば、例えばフック構造のようなものでもよく、係合穴３１及び係合突起３３の数は、必要に応じて適宜設定することができる。
【符号の説明】
【００４２】
１…乗り場ドア、  ２…乗り場インジケーター、  ３…一般用インジケーター、  ４…車いす用インジケーター、  ５…取り付けプレート、  ５ａ…主平面部、  ５ｂ…従平面部、  ６…収納ボックス、  ７…ブラケット、  ８…スタッドボルト、  １０…開口部、  １１…車いすホールボタンケーブル用貫通孔、  １２…コード、  １３…ガイド部材、  １４…ケース、  １５…一般用ホールボタン、  １６…車いす用ホールボタン、  １７…建物の壁部、  １８…ねじ孔、  １９…コード保持部、  ２０…ケース、  ２１…ケース貫通孔、  ２２、４２…コネクタ、  ２４…切り込み部、  ２６…ねじ、  ３１・・・係合穴、  ３２・・・コード、  ３３・・・係合突起、  ４５・・・カバー
【図１】
2018100154.tif 000003
【図２】
2018100154.tif 000004
【図３】
2018100154.tif 000005
【図４】
2018100154.tif 000006
【図５】
2018100154.tif 000007
【図６】
2018100154.tif 000008